(57)【要約】【課題】コアネットワークに対するインパクトを最小現にしつつ、「Ｃｏｎｎｅｃｔｉｖｉｔｙ」や「Ｍｏｂｉｌｉｔｙ」の観点及びシステム容量増大や負荷分散の観点で最適なアーキテクチャを実現する。【解決手段】本発明に係る移動通信方法は、無線基地局ｅＮＢ＃１配下のセル＃１において「ＲＲＣ_Ｃｏｎｎｅｃｔｅｄ状態」の移動局ＵＥと無線基地局ｅＮＢ＃１との間のＵ-ｐｌａｎｅベアラ及び無線基地局ｅＮＢ＃１とゲートウェイ装置Ｓ-ＧＷとの間のＳ１-ＵベアラからなるＥＰＳベアラを介して移動局ＵＥの通信が行われている場合に、無線基地局ｅＮＢ＃１が、セル＃１０が移動局ＵＥの周辺にあることを検出すると、移動局ＵＥに対して、ＥＰＳベアラの識別情報とセル＃１０の識別情報とを関連付ける情報を含む「ＲＲＣ  Ｃｏｎｎｅｃｔｉｏｎ  Ｒｅｃｏｎｆｉｇｕｒａｔｉｏｎ」を送信する。【選択図】図９
2014039124.tif 000002
【特許請求の範囲】
【請求項１】
第１無線基地局配下の第１セルにおいて接続状態の移動局と該第１無線基地局との間のデータ無線ベアラ及び該第１無線基地局とゲートウェイ装置との間のベアラからなる無線アクセスベアラを介して該移動局の通信が行われている場合に、該第１セルのカバレッジ内に第２無線基地局配下の第２セルが配置され、該第１無線基地局が、該移動局の無線測定の結果により、該第２セルが該移動局の周辺にあることを検出すると、該移動局に対して、該無線アクセスベアラの識別情報と該第２セルの識別情報とを関連付ける情報を含む設定変更信号を送信する工程Ａと、
前記移動局が、前記設定変更信号に応じて、前記第２無線基地局との間でデータ無線ベアラを設定する工程Ｂと、
前記無線アクセスベアラを、前記移動局と前記第２無線基地局との間のデータ無線ベアラ、該第２無線基地局と前記第１無線基地局との間のベアラ及び該第１無線基地局と前記ゲートウェイ装置との間のベアラからなるように変更する工程Ｃとを有することを特徴とする移動通信方法。
【請求項２】
前記工程Ａにおいて、前記第１無線基地局は、前記第２無線基地局に対して、前記移動局と該第１無線基地局との間のデータ無線ベアラの無線設定情報を通知することを特徴とする請求項１に記載の移動通信方法。
【請求項３】
前記第１無線基地局が、前記第２セルを削除する場合、前記移動局に対して、前記無線アクセスベアラの識別情報と該第２セルの識別情報との関連付けを削除する情報を含む設定変更信号を送信する工程Ｄと、
前記無線アクセスベアラを、前記移動局と前記第１無線基地局との間のデータ無線ベアラ及び該第１無線基地局と前記ゲートウェイ装置との間のベアラからなるように変更する工程Ｅとを有することを特徴とする請求項１又は２に記載の移動通信方法。
【請求項４】
前記工程Ｅにおいて、前記第２無線基地局は、前記第１無線基地局に対して、前記移動局と該第２無線基地局との間のデータ無線ベアラの無線設定情報を通知することを特徴とする請求項３に記載の移動通信方法。
【請求項５】
移動局であって、
第１無線基地局配下の第１セルにおいて接続状態であり、該移動局と該第１無線基地局との間のデータ無線ベアラ及び該第１無線基地局とゲートウェイ装置との間のベアラからなる無線アクセスベアラを介して通信を行っている場合に、該第１無線基地局から、該無線アクセスベアラの識別情報と該第１セルのカバレッジ内に配置された第２無線基地局配下の第２セルの識別情報とを関連付ける情報を含む設定変更信号を受信すると、該設定変更信号に応じて、該第２無線基地局との間でデータ無線ベアラを設定し、該無線アクセスベアラを、該移動局と該第２無線基地局との間のデータ無線ベアラ、該第２無線基地局と該第１無線基地局との間のベアラ及び該第１無線基地局と該ゲートウェイ装置との間のベアラからなるように変更するように構成されていることを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式において、マクロセル（Ｍａｃｒｏ  ｃｅｌｌ）によって「Ｃｏｎｎｅｃｔｉｖｉｔｙ」や「Ｍｏｂｉｌｉｔｙ」をカバーしつつ、スモールセル（Ｓｍａｌｌ  ｃｅｌｌ）或いはファントムセル（Ｐｈａｎｔｏｍ  ｃｅｌｌ）によってシステム容量増大や負荷分散を実現するために、Ｃ-ｐｌａｎｅベアラ及びＵ-ｐｌａｎｅベアラを分割するための「ｅＬＡ（Ｅｎｈａｎｃｅｄ  Ｌｏｃａｌ  Ａｒｅａ）アーキテクチャ」について検討されている。
【先行技術文献】
【非特許文献】
【０００３】
【非特許文献１】３ＧＰＰ  ＷＳ-１２００１０、「Ｒｅｑｕｉｒｅｍｅｎｔｓ，  Ｃａｎｄｉｄａｔｅ  Ｓｏｌｕｔｉｏｎ  ＆  Ｔｅｃｈｎｏｌｏｇｙ  Ｒｏａｄｍａｐ  ｆｏｒ  ＬＴＥ  Ｒｅｌ-１２  Ｏｎｗａｒｄ」、ＮＴＴ  Ｄ  ＤＯＣＯＭＯ，ＩＮＣ
【発明の概要】
【発明が解決しようとする課題】
【０００４】
ＬＴＥ方式において、かかる「ｅＬＡアーキテクチャ」を実現するための要求条件として、コアネットワークに対するインパクトを最小現にするべきであるとされている。
【０００５】
しかしながら、ＬＴＥ方式では、かかる要求条件を満たすための具体的なアーキテクチャについて、未だ検討されていない。
【０００６】
そこで、本発明は、上述の課題に鑑みてなされたものであり、コアネットワークに対するインパクトを最小現にしつつ、「Ｃｏｎｎｅｃｔｉｖｉｔｙ」や「Ｍｏｂｉｌｉｔｙ」の観点及びシステム容量増大や負荷分散の観点で最適なアーキテクチャを実現することができる移動通信方法及び移動局を提供することを目的とする。
【課題を解決するための手段】
【０００７】
本発明の第１の特徴は、移動通信方法であって、第１無線基地局配下の第１セルにおいて接続状態の移動局と該第１無線基地局との間のデータ無線ベアラ及び該第１無線基地局とゲートウェイ装置との間のベアラからなる無線アクセスベアラを介して該移動局の通信が行われている場合に、該第１セルのカバレッジ内に第２無線基地局配下の第２セルが配置され、該第１無線基地局が、該移動局の無線測定の結果により、該第２セルが該移動局の周辺にあることを検知すると、該移動局に対して、該無線アクセスベアラの識別情報と該第２セルの識別情報とを関連付ける情報を含む設定変更信号を送信する工程Ａと、前記移動局が、前記設定変更信号に応じて、前記第２無線基地局との間でデータ無線ベアラを設定する工程Ｂと、前記無線アクセスベアラを、前記移動局と前記第２無線基地局との間のデータ無線ベアラ、該第２無線基地局と前記第１無線基地局との間のベアラ及び該第１無線基地局と前記ゲートウェイ装置との間のベアラからなるように変更する工程Ｃとを有することを要旨とする。
【０００８】
本発明の第２の特徴は、移動局であって、第１無線基地局配下の第１セルにおいて接続状態であり、該移動局と該第１無線基地局との間のデータ無線ベアラ及び該第１無線基地局とゲートウェイ装置との間のベアラからなる無線アクセスベアラを介して通信を行っている場合に、該第１無線基地局から、該無線アクセスベアラの識別情報と該第１セルのカバレッジ内に配置された第２無線基地局配下の第２セルの識別情報とを関連付ける情報を含む設定変更信号を受信すると、該設定変更信号に応じて、該第２無線基地局との間でデータ無線ベアラを設定し、該無線アクセスベアラを、該移動局と該第２無線基地局との間のデータ無線ベアラ、該第２無線基地局と該第１無線基地局との間のベアラ及び該第１無線基地局と該ゲートウェイ装置との間のベアラからなるように変更するように構成されていることを要旨とする。
【発明の効果】
【０００９】
以上説明したように、本発明によれば、コアネットワークに対するインパクトを最小現にしつつ、「Ｃｏｎｎｅｃｔｉｖｉｔｙ」や「Ｍｏｂｉｌｉｔｙ」の観点及びシステム容量増大や負荷分散の観点で最適なアーキテクチャを実現することができる移動通信方法及び移動局を提供することができる。
【図面の簡単な説明】
【００１０】
【図１】本発明の第１の実施形態に係る移動通信システムの全体構成図である。
【図２】本発明の第１の実施形態に係る移動通信システムの全体構成の模式図である。
【図３】本発明の第１の実施形態に係る移動通信システムにおけるＵ-ｐｌａｎｅベアラの構成図である。
【図４】本発明の第１の実施形態に係る無線基地局の機能ブロック図である。
【図５】本発明の第１の実施形態に係る移動通信システムで送信される「Ｅ-ＲＡＢ  Ｓｅｔｕｐ  Ｒｅｑｕｅｓｔ  Ｆｏｒ  ｅＬＡ」の一例を示す図である。
【図６】本発明の第１の実施形態に係る移動通信システムで送信される「Ｅ-ＲＡＢ  Ｓｅｔｕｐ  Ｒｅｓｐｏｎｓｅ  Ｆｏｒ  ｅＬＡ」の一例を示す図である。
【図７】本発明の第１の実施形態に係る移動通信システムで送信される「ＲＲＣ  Ｃｏｎｎｅｃｔｉｏｎ  Ｒｅｃｏｎｆｉｇｕｒａｔｉｏｎ」の一例を示す図である。
【図８】本発明の第１の実施形態に係る移動通信システムで送信される「ＲＲＣ  Ｃｏｎｎｅｃｔｉｏｎ  Ｒｅｃｏｎｆｉｇｕｒａｔｉｏｎ」内の情報要素「ＲａｄｉｏＲｅｓｏｕｒｃｅＣｏｎｆｉｇＤｅｄｉｃａｔｅｄ」の一例を示す図である。
【図９】本発明の第１の実施形態に係る移動通信システムの動作を示すシーケンス図である。
【図１０】本発明の第１の実施形態に係る移動通信システムの動作を示すシーケンス図である。
【発明を実施するための形態】
【００１１】
（本発明の第１の実施形態に係る移動通信システム）
図１乃至図１０を参照して、本発明の第１の実施形態に係る移動通信システムについて説明する。
【００１２】
図１に示すように、本実施形態に係る移動通信システムは、ＬＴＥ方式の移動通信システムであって、ゲートウェイ装置Ｐ-ＧＷ/Ｓ-ＧＷと、移動管理ノードＭＭＥ（Ｍｏｂｉｌｉｔｙ  Ｍａｎａｇｅｍｅｎｔ  Ｅｎｔｉｔｙ）と、セル＃１を管理する無線基地局ｅＮＢ＃１と、セル＃１０を管理する無線基地局ＰｈＮＢ＃１０とを具備している。
【００１３】
ここで、図１の例では、セル＃１が、マクロセル（移動局ＵＥのサービングセル）であり、セル＃１０が、スモールセル（ファントムセル）であり、セル＃１のカバレッジエリア内に、セル＃１０が配置されているものとする。
【００１４】
本実施形態に係る移動通信システムは、「ｅＬＡアーキテクチャ」を採用することができるように構成されており、図１に示すように、移動局ＵＥ用のＵ-Ｐｌａｎｅベアラについて、移動局ＵＥと無線基地局ＰｈＮＢ＃１０との間で設定し、移動局ＵＥ用のＣ-Ｐｌａｎｅベアラについて、移動局ＵＥと無線基地局ｅＮＢ＃１との間で設定することができるように構成されている。
【００１５】
図２に示すように、Ｓ１-Ｃ（Ｓ１-ＭＭＥ）インターフェイスは、移動管理ノードＭＭＥと無線基地局ｅＮＢ＃１との間でのみ存在するように構成されている。
【００１６】
したがって、移動管理ノードＭＭＥは、無線基地局ＰｈＮＢ＃１０を意識することができない、すなわち、無線基地局ＰｈＮＢ＃１０配下のセル＃１０を、無線基地局ｅＮＢ＃１配下の１つのセルと見なすように構成されている。
【００１７】
また、Ｓ１-Ｕインターフェイスは、ゲートウェイ装置Ｓ-ＧＷと無線基地局ｅＮＢ＃１との間でのみ存在するように構成されている。
【００１８】
無線基地局ｅＮＢ＃１及び無線基地局ＰｈＮＢには、それぞれＰＤＣＰ（Ｐａｃｋｅｔ  Ｄａｔａ  Ｃｏｎｖｅｒｇｅｎｃｅ  Ｐｒｏｔｏｃｏｌ）レイヤ機能やＲＬＣ（Ｒａｄｉｏ  Ｌｉｎｋ  Ｃｏｎｔｒｏｌ）レイヤ機能やＭＡＣ（Ｍｅｄｉａ  Ａｃｃｅｓｓ  Ｃｏｎｔｒｏｌ）レイヤ機能が独立に具備されている。
【００１９】
ここで、無線基地局ｅＮＢ＃１におけるＰＤＣＰレイヤ機能やＲＬＣレイヤ機能やＭＡＣレイヤ機能は、移動局ＵＥにおけるＰＤＣＰレイヤ機能やＲＬＣレイヤ機能やＭＡＣレイヤ機能と独立に終端することが可能となるように構成されている。
【００２０】
なお、無線基地局ｅＮＢ＃１は、ＲＲＣ（Ｒａｄｉｏ  Ｒｅｓｏｕｒｃｅ  Ｃｏｎｔｒｏｌ）レイヤ機能を具備し、移動局ＵＥと終端して通信することができるようになっているが、無線基地局ＰｈＮＢは、ＲＲＣレイヤ機能を具備しておらず、移動局ＵＥとの間で終端して通信していない。
【００２１】
なお、図３（ａ）に示すように、本実施系に係る移動通信システムにおいて、無線基地局ｅＮＢ＃１配下のセル＃１において「ＲＲＣ_Ｃｏｎｎｅｃｔｅｄ状態」の移動局ＵＥの通信が、Ｕ-ｐｌａｎｅベアラ＃ａ１及びＳ１-Ｕベアラ＃ａ２からなるＥＰＳベアラを介して行われている場合に、図３（ｂ）に示すように、セル＃１のカバレッジ内に無線基地局ＰｈＮＢ＃１０配下のセル＃１０が配置され、移動局ＵＥの無線測定の結果により、かかるセル＃１０が移動局ＵＥの周辺にあると検知されると、かかる移動局ＵＥの通信は、Ｕ-ｐｌａｎｅベアラ＃ｂ１、Ｓ１-Ｕベアラ＃ｂ２及びＳ１-Ｕベアラ＃ｂ３（＃ａ２）からなるＥＰＳベアラを介して行われるようになる。
【００２２】
ここで、Ｕ-ｐｌａｎｅベアラ＃ａ１は、移動局ＵＥと無線基地局ｅＮＢ＃１との間で設定されており、Ｓ１-Ｕベアラ＃ａ２は、無線基地局ｅＮＢ＃１とゲートウェイ装置Ｓ-ＧＷとの間で設定されている。
【００２３】
また、Ｕ-ｐｌａｎｅベアラ＃ｂ１は、移動局ＵＥと無線基地局ＰｈＮＢ＃１０との間で設定されており、Ｓ１-Ｕベアラ＃ｂ２は、無線基地局ｅＮＢ＃１と無線基地局ＰｈＮＢ＃１０との間で設定されており、Ｓ１-Ｕベアラ＃ｂ３は、無線基地局ｅＮＢ＃１とゲートウェイ装置Ｓ-ＧＷとの間で設定されている。
【００２４】
なお、図３（ｂ）に示す状態において、セル＃１０が削除された場合（例えば、移動局ＵＥが、セル＃１０のカバレッジエリア外に移動した場合）、移動局ＵＥの通信は、Ｕ-ｐｌａｎｅベアラ＃ａ１及びＳ１-Ｕベアラ＃ａ２からなるＥＰＳベアラを介して行われるようになる。
【００２５】
図４に示すように、本実施形態に係る無線基地局ｅＮＢ＃１は、管理部１１と、送信部１２と、受信部１３とを具備している。
【００２６】
管理部１１は、各移動局ＵＥ用のＥＰＳ（Ｅｖｏｌｖｅｄ  Ｐａｃｋｅｔ  Ｓｙｓｔｅｍ）ベアラやＵ-ｐｌａｎｅベアラやＳ１-ＵベアラやＳ１-Ｃベアラに係る情報を管理するように構成されている。
【００２７】
例えば、管理部１１は、各移動局ＵＥのＥＰＳベアラコンテキストや、各移動局ＵＥのＵ-ｐｌａｎｅベアラ（ＥＰＳベアラ）の無線設定情報等を管理するように構成されている。
【００２８】
また、管理部１１は、無線基地局ｅＮＢ＃１に係る情報、例えば、無線基地局ｅＮＢ＃１側のＴＥＩＤ（Ｔｕｎｎｅｌ  Ｅｎｄｐｏｉｎｔ  Ｉｄｅｎｔｉｔｙ）やＩＰアドレス等管理するように構成されている。
【００２９】
また、管理部１１は、無線基地局ｅＮＢ＃１配下のセル（例えば、セル＃１）に係る情報、例えば、かかるセルに係るＰＣＩ（Ｐｈｙｓｉｃａｌ  Ｃｅｌｌ  Ｉｄｅｎｔｉｔｙ）や使用周波数やＡＳ（Ａｃｃｅｓｓ  Ｓｔｒａｔｕｍ）関連情報等を管理するように構成されている。
【００３０】
また、管理部１１は、無線基地局ＰｈＮＢ＃１０に係る情報、例えば、無線基地局ＰｈＮＢ＃１０側のＴＥＩＤやＩＰアドレス等管理するように構成されている。
【００３１】
さらに、管理部１１は、無線基地局ＰｈＮＢ＃１０配下のセル（例えば、セル＃１０）に係る情報、例えば、かかるセルに係るＰＣＩや使用周波数やＡＳ関連情報等を管理するように構成されている。
【００３２】
送信部１２は、移動局ＵＥや無線基地局ＰｈＮＢ＃１０や移動管理ノードＭＭＥやゲートウェイ装置Ｓ-ＧＷに対して各種信号を送信するように構成されており、受信部１３は、移動局ＵＥや無線基地局ＰｈＮＢ＃１０や移動管理ノードＭＭＥやゲートウェイ装置Ｓ-ＧＷから各種信号を受信するように構成されている。
【００３３】
例えば、送信部１２は、無線基地局ＰｈＮＢ＃１０に対して、図５に示す「Ｅ-ＲＡＢ  Ｓｅｔｕｐ  Ｒｅｑｕｅｓｔ  Ｆｏｒ  ｅＬＡ」を送信するように構成されている。
【００３４】
かかる「Ｅ-ＲＡＢ  Ｓｅｔｕｐ  Ｒｅｑｕｅｓｔ  Ｆｏｒ  ｅＬＡ」は、１つ又は複数のＳ１-Ｕベアラ（Ｅ-ＲＡＢ：Ｅ-ＵＴＲＡＮ  Ｒａｄｉｏ  Ａｃｃｅｓｓ  Ｂｅａｒｅｒ）用のリソースを割り当てるように要求するために用いられるメッセージである。
【００３５】
送信部１２は、無線基地局ＰｈＮＢ  ＃１０に対して、「Ｅ-ＲＡＢ  Ｓｅｔｕｐ  Ｒｅｑｕｅｓｔ  Ｆｏｒ  ｅＬＡ」内の情報要素「ＲＲＣＣｏｎｔｅｘｔ」によって、移動局ＵＥと無線基地局ｅＮＢ＃１との間のＵ-ｐｌａｎｅベアラ（移動局ＵＥ用のＥＰＳベアラ）の無線設定情報を通知するように構成されている。
【００３６】
かかるＵ-ｐｌａｎｅベアラの無線設定情報には、「ＰＤＣＰ  ｃｏｎｆｉｇ」や「ＲＬＣ  ｃｏｎｆｉｇ」や「ＭＡＣ  ｃｏｎｆｉｇ」等が含まれる。
【００３７】
また、送信部１２は、無線基地局ＰｈＮＢ＃１０に対して、「Ｅ-ＲＡＢ  Ｓｅｔｕｐ  Ｒｅｑｕｅｓｔ  Ｆｏｒ  ｅＬＡ」内の情報要素「Ｔｒａｎｓｐｏｒｔ  Ｌａｙｅｒ  Ａｄｄｒｅｓｓ」によって、無線基地局ｅＮＢ＃１側のＩＰアドレスを通知し、「Ｅ-ＲＡＢ  Ｓｅｔｕｐ  Ｒｅｑｕｅｓｔ  Ｆｏｒ  ｅＬＡ」内の情報要素「ＧＴＰ-ＴＥＩＤ」によって、無線基地局ｅＮＢ＃１側のＴＥＩＤを通知するように構成されている。
【００３８】
また、受信部１３は、無線基地局ＰｈＮＢ＃１０から、図６に示す「Ｅ-ＲＡＢ  Ｓｅｔｕｐ  Ｒｅｓｐｏｎｓｅ  Ｆｏｒ  ｅＬＡ」を送信するように構成されている。
【００３９】
かかる「Ｅ-ＲＡＢ  Ｓｅｔｕｐ  Ｒｅｓｐｏｎｓｅ  Ｆｏｒ  ｅＬＡ」は、「Ｅ-ＲＡＢ  Ｓｅｔｕｐ  Ｒｅｑｕｅｓｔ  Ｆｏｒ  ｅＬＡ」に対応する処理結果を報告するメッセージである。
【００４０】
受信部１３は、無線基地局ＰｈＮＢ＃１０から、「Ｅ-ＲＡＢ  Ｓｅｔｕｐ  Ｒｅｓｐｏｎｓｅ  Ｆｏｒ  ｅＬＡ」内の情報要素「Ｔｒａｎｓｐｏｒｔ  Ｌａｙｅｒ  Ａｄｄｒｅｓｓ」によって、無線基地局ＰｈＮＢ＃１０側のＩＰアドレスを取得し、「Ｅ-ＲＡＢ  Ｓｅｔｕｐ  Ｒｅｓｐｏｎｓｅ  Ｆｏｒ  ｅＬＡ」内の情報要素「ＧＴＰ-ＴＥＩＤ」によって、無線基地局ＰｈＮＢ＃１０側のＴＥＩＤを取得するように構成されている。
【００４１】
また、送信部１２は、移動局ＵＥに対して、図７に示す「ＲＲＣ  Ｃｏｎｎｃｅｔｉｏｎ  Ｒｅｃｏｎｆｉｇｕｒａｔｉｏｎ」を送信するように構成されている。
【００４２】
送信部１２は、移動局ＵＥに対して、「ＲＲＣ  Ｃｏｎｎｃｅｔｉｏｎ  Ｒｅｃｏｎｆｉｇｕｒａｔｉｏｎ」内の情報要素「ＳｍａｌｌＣｅｌｌＴｏＡｄｄＭｏｄＬｉｓｔ-ｒ１１」によって、ＥＰＳベアラの識別情報とセル＃１０の識別情報とを関連付ける情報を通知するように構成されている。
【００４３】
具体的には、図７に示すように、かかる情報要素「ＳｍａｌｌＣｅｌｌＴｏＡｄｄＭｏｄＬｉｓｔ-ｒ１１」内の情報要素「ＳｍａｌｌＣｅｌｌＩｄ」は、セル＃１０の識別情報（ＰｈａｎｔｏｍＣｅｌｌＩｄ）及び使用周波数（ＡＲＦＣＮ-ＶａｌｕｅＥＵＴＲＡ）を通知するように構成されている。
【００４４】
また、図７及び図８に示すように、かかる情報要素「ＳｍａｌｌＣｅｌｌＴｏＡｄｄＭｏｄＬｉｓｔ-ｒ１１」内の情報要素「ＳｍａｌｌＣｅｌｌＲａｄｉｏＲｅｓｏｕｒｃｅＣｏｎｆｉｇＤｅｄｉｃａｔｅｄ-ｒ１１」内の情報要素「ＤＲＢ-ＴｏＡｄｄＭｏｄＳｍａｌｌＣｅｌｌＬｉｓｔ」内の情報要素「ＤＲＢ-ＴｏＡｄｄＭｏｄＳｍａｌｌＣｅｌｌ」は、ＥＰＳベアラの識別情報（ｅｐｓ-ＢｅａｒｅｒＩｄｅｎｔｉｔｙ）を通知するように構成されている。
【００４５】
以下、図９及び図１０を参照して、本実施形態に係る移動通信システムの動作について説明する。
【００４６】
第１に、図９を参照して、本実施形態に係る移動通信システムにおいて、無線基地局ＰｈＮＢ＃１０（セル＃１０）を追加する際の動作について説明する。
【００４７】
図９に示すように、ステップＳ１０００において、無線基地局ｅＮＢ＃１配下のセル＃１において「ＲＲＣ_Ｃｏｎｎｅｃｔｅｄ状態」の移動局ＵＥの通信が、移動局ＵＥと無線基地局ｅＮＢ＃１との間のＵ-ｐｌａｎｅベアラ（ＤＲＢ）及び無線基地局ｅＮＢ＃１とゲートウェイ装置Ｓ-ＧＷとの間のＳ１-ＵベアラからなるＥＰＳベアラ＃Ａを介して行われている場合に、移動局ＵＥが、ステップＳ１００１において、無線基地局ＰｈＮＢ＃１０を検出し、ステップＳ１００２において、無線基地局ｅＮＢ＃１に対して、無線基地局ＰｈＮＢ＃１０における測定結果を含む「Ｍｅａｓｕｒｅｍｅｎｔ  Ｒｅｐｏｒｔ」を送信する。
【００４８】
無線基地局ｅＮＢ＃１は、ステップＳ１００３において、セル＃１のカバレッジエリア内に無線基地局ＰｈＮＢ＃１０が配置されたことを検出し、移動局ＵＥに対して無線基地局ＰｈＮＢ＃１０配下のセル＃１０を追加することを決定し、移動局ＵＥのＥＰＳベアラの経路を無線基地局ＰｈＮＢ＃１０を介する経路に切り替えると決定し、ステップＳ１００４において、無線基地局ＰｈＮＢ＃１０に対して「Ｅ-ＲＡＢ  Ｓｅｔｕｐ  Ｒｅｑｕｅｓｔ  Ｆｏｒ  ｅＬＡ（図５参照）」を送信する。
【００４９】
ここで、移動局ＵＥにおいて確立されているＥＰＳベアラが複数ある場合、無線基地局ｅＮＢ＃１が、かかる経路の切り替え対象となるＥＰＳベアラについて決定してもよい。
【００５０】
ステップＳ１００５において、無線基地局ＰｈＮＢ＃１０は、「Ｅ-ＲＡＢ  Ｓｅｔｕｐ  Ｒｅｑｕｅｓｔ  Ｆｏｒ  ｅＬＡ」に応じて、無線基地局ｅＮＢ＃１に対して「Ｅ-ＲＡＢ  Ｓｅｔｕｐ  Ｒｅｓｐｏｎｓｅ  Ｆｏｒ  ｅＬＡ（図６参照）」を送信する。
【００５１】
ステップＳ１００４及びステップＳ１００５の処理によって、無線基地局ｅＮＢ＃１と無線基地局ＰｈＮＢ＃１０との間でＵ-ｐｌａｎｅ用のトンネルを生成し、無線基地局ＰｈＮＢ＃１０が、移動局ＵＥと無線基地局ｅＮＢ＃１との間で設定されているＵ-ｐｌａｎｅベアラの無線設定情報を引き継ぐことができる。
【００５２】
その結果、ステップＳ１００６において、無線基地局ｅＮＢ＃１と無線基地局ＰｈＮＢ＃１０との間のＳ１-Ｕベアラの設定が完了する。
【００５３】
ステップＳ１００７において、無線基地局ｅＮＢ＃１は、移動局ＵＥに対して、移動局ＵＥのＥＰＳベアラ＃Ａの経路を無線基地局ＰｈＮＢ＃１０を介する経路に切り替えることを指示する「ＲＲＣ  Ｃｏｎｎｃｅｔｉｏｎ  Ｒｅｃｏｎｆｉｇｕｒａｔｉｏｎ（図７及び図８参照）」を送信する。
【００５４】
なお、無線基地局ＰｈＮＢ＃１０が、ＲＲＣレイヤ機能を具備していないため、無線基地局ｅＮＢ＃１が、移動局ＵＥに対して、かかる「ＲＲＣ  Ｃｏｎｎｃｅｔｉｏｎ  Ｒｅｃｏｎｆｉｇｕｒａｔｉｏｎ」によって、ＥＰＳベアラ＃Ａの識別情報とセル＃１０の識別情報とを関連付ける情報を通知し、移動局ＵＥのＥＰＳベアラ＃Ａの経路を無線基地局ＰｈＮＢ＃１０を介する経路に切り替えることを指示する。
【００５５】
移動局ＵＥは、ステップＳ１００８において、無線基地局ｅＮＢ＃１に対して、「ＲＲＣ  Ｃｏｎｎｃｅｔｉｏｎ  Ｒｅｃｏｎｆｉｇｕｒａｔｉｏｎ  Ｃｏｍｐｌｅｔｅ」を送信し、無線基地局ＰｈＮＢ＃１０との同期を図る。
【００５６】
その結果、ステップＳ１００９において、移動局ＵＥと無線基地局ＰｈＮＢ＃１０との間のＵ-ｐｌａｎｅベアラ（ＤＲＢ）の設定が完了し、ステップＳ１０１０において、移動局ＵＥのＥＰＳベアラ＃Ａの経路が、無線基地局ＰｈＮＢ＃１０を介さない経路（ゲートウェイ装置Ｓ-ＧＷ←→無線基地局ｅＮＢ＃１←→移動局ＵＥ）から、無線基地局ＰｈＮＢ＃１０を介する経路（ゲートウェイ装置Ｓ-ＧＷ←→無線基地局ｅＮＢ＃１←→無線基地局ＰｈＮＢ＃１０←→移動局ＵＥ）に切り替わる。
【００５７】
第２に、図１０を参照して、本実施形態に係る移動通信システムにおいて、無線基地局ＰｈＮＢ＃１０（セル＃１０）を削除する際の動作について説明する。
【００５８】
図１０に示すように、ステップＳ２０００において、無線基地局ｅＮＢ＃１配下のセル＃１において「ＲＲＣ_Ｃｏｎｎｅｃｔｅｄ状態」の移動局ＵＥの通信が、移動局ＵＥと無線基地局ＰｈＮＢ＃１０との間のＵ-ｐｌａｎｅベアラ（ＤＲＢ）、無線基地局ＰｈＮＢ＃１と無線基地局ｅＮＢ＃１との間のＳ１-Ｕベアラ及び無線基地局ｅＮＢ＃１とゲートウェイ装置Ｓ-ＧＷとの間のＳ１-ＵベアラからなるＥＰＳベアラ＃Ａを介して行われている場合に、移動局ＵＥが、ステップＳ２００１において、無線基地局ＰｈＮＢ＃１０配下のセル＃１０のカバレッジエリアから出たこと（或いは、無線基地局ＰｈＮＢ＃１０配下のセル＃１０における品質劣化）を検出し、ステップＳ２００２において、無線基地局ｅＮＢ＃１に対して、無線基地局ＰｈＮＢ＃１０における測定結果を含む「Ｍｅａｓｕｒｅｍｅｎｔ  Ｒｅｐｏｒｔ」を送信する。
【００５９】
無線基地局ｅＮＢ＃１は、ステップＳ２００３において、移動局ＵＥから無線基地局ＰｈＮＢ＃１０配下のセル＃１０を削除することを決定し、移動局ＵＥのＥＰＳベアラの経路を無線基地局ＰｈＮＢ＃１０を介さない経路に切り替えると決定し、ステップＳ２００４において、無線基地局ＰｈＮＢ＃１０に対して、移動局ＵＥと無線基地局ＰｈＮＢ＃１との間のＵ-ｐｌａｎｅベアラを解放することを指示する「Ｅ-ＲＡＢ  Ｒｅｌｅａｓｅ  Ｒｅｑｕｅｓｔ」を送信する。
【００６０】
ステップＳ２００５において、無線基地局ＰｈＮＢ＃１０は、かかる「Ｅ-ＲＡＢ  Ｒｅｌｅａｓｅ  Ｒｅｑｕｅｓｔ」に応じて、無線基地局ｅＮＢ＃１に対して「Ｅ-ＲＡＢ  Ｒｅｌｅａｓｅ  Ｒｅｓｐｏｎｓｅ」を送信する。
【００６１】
ステップＳ２００４及びステップＳ２００５の処理において、無線基地局ｅＮＢ＃１が、移動局ＵＥと無線基地局ＰｈＮＢ＃１０との間で設定されているＵ-ｐｌａｎｅベアラの無線設定情報を引き継ぐことができる。
【００６２】
そして、ステップＳ２００６において、無線基地局ｅＮＢ＃１と無線基地局ＰｈＮＢ＃１０との間のＳ１-Ｕベアラについても解放される。
【００６３】
ステップＳ２００７において、無線基地局ｅＮＢ＃１は、移動局ＵＥに対して、移動局ＵＥのＥＰＳベアラ＃Ａの経路を無線基地局ＰｈＮＢ＃１０を介さない経路に切り替えることを指示する「ＲＲＣ  Ｃｏｎｎｃｅｔｉｏｎ  Ｒｅｃｏｎｆｉｇｕｒａｔｉｏｎ」を送信する。
【００６４】
なお、無線基地局ＰｈＮＢ＃１０が、ＲＲＣレイヤ機能を具備していないため、無線基地局ｅＮＢ＃１が、移動局ＵＥに対して、かかる「ＲＲＣ  Ｃｏｎｎｃｅｔｉｏｎ  Ｒｅｃｏｎｆｉｇｕｒａｔｉｏｎ」によって、ＥＰＳベアラ＃Ａの識別情報とセル＃１０の識別情報との関連付けを削除するための情報を通知し、移動局ＵＥのＥＰＳベアラ＃Ａの経路を無線基地局ＰｈＮＢ＃１０を介さない経路に切り替えることを指示する。
【００６５】
移動局ＵＥは、ステップＳ２００８において、無線基地局ｅＮＢ＃１に対して、「ＲＲＣ  Ｃｏｎｎｃｅｔｉｏｎ  Ｒｅｃｏｎｆｉｇｕｒａｔｉｏｎ  Ｃｏｍｐｌｅｔｅ」を送信し、無線基地局ｅＮＢ＃１との同期を図る。
【００６６】
その結果、ステップＳ２００９において、移動局ＵＥと無線基地局ｅＮＢ＃１との間のＵ-ｐｌａｎｅベアラ（ＤＲＢ）の設定が完了し、ステップＳ２０１０において、移動局ＵＥのＥＰＳベアラ＃Ａの経路が、無線基地局ＰｈＮＢ＃１０を介する経路（ゲートウェイ装置Ｓ-ＧＷ←→無線基地局ｅＮＢ＃１←→無線基地局ＰｈＮＢ＃１０←→移動局ＵＥ）から、無線基地局ＰｈＮＢ＃１０を介さない経路（ゲートウェイ装置Ｓ-ＧＷ←→無線基地局ｅＮＢ＃１←→移動局ＵＥ）に切り替わる。
【００６７】
その後、セル＃１０が削除される場合、無線基地局ｅＮＢ＃１が、移動局ＵＥに対して、ＥＰＳベアラ＃Ａの識別情報とセル＃１０の識別情報との関連付けを削除する情報を含む「ＲＲＣ  Ｃｏｎｎｅｃｔｉｏｎ  Ｒｅｃｏｎｆｉｇｕｒａｔｉｏｎ」を送信する。
【００６８】
以上に述べた本実施形態の特徴は、以下のように表現されていてもよい。
【００６９】
本実施形態の第１の特徴は、移動通信方法であって、無線基地局ｅＮＢ＃１（第１無線基地局）配下のセル＃１（第１セル）において「ＲＲＣ_Ｃｏｎｎｅｃｔｅｄ状態（接続状態）」の移動局ＵＥと無線基地局ｅＮＢ＃１との間のＵ-ｐｌａｎｅベアラ（データ無線ベアラ）及び無線基地局ｅＮＢ＃１とゲートウェイ装置Ｓ-ＧＷとの間のＳ１-ＵベアラからなるＥＰＳベアラ（無線アクセスベアラ）を介して移動局ＵＥの通信が行われている場合に、セル＃１のカバレッジ内に無線基地局ＰｈＮＢ＃１０（第２無線基地局）配下のセル＃１０（第２セル）が配置され、無線基地局ｅＮＢ＃１が、移動局ＵＥの無線測定の結果により、セル＃１０が移動局ＵＥの周辺にあることを検出すると、移動局ＵＥに対して、ＥＰＳベアラの識別情報とセル＃１０の識別情報とを関連付ける情報を含む「ＲＲＣ  Ｃｏｎｎｅｃｔｉｏｎ  Ｒｅｃｏｎｆｉｇｕｒａｔｉｏｎ（設定変更信号）」を送信する工程Ａと、移動局ＵＥが、「ＲＲＣ  Ｃｏｎｎｅｃｔｉｏｎ  Ｒｅｃｏｎｆｉｇｕｒａｔｉｏｎ」に応じて、無線基地局ＰｈＮＢ＃１０との間でＵ-ｐｌａｎｅベアラを設定する工程Ｂと、ＥＰＳベアラを、移動局ＵＥと無線基地局ＰｈＮＢ＃１０との間のＵ-ｐｌａｎｅベアラ、無線基地局ＰｈＮＢ＃１０と無線基地局ｅＮＢ＃１との間のＳ１-Ｕベアラ及び無線基地局ｅＮＢ＃１とゲートウェイ装置Ｓ-ＧＷとの間のＳ１-Ｕベアラからなるように変更する工程Ｃとを有することを要旨とする。
【００７０】
かかる構成によれば、セル＃１０が追加される場合に、移動局ＵＥのＥＰＳベアラ＃Ａの経路を、無線基地局ＰｈＮＢ＃１０を介さない経路（ゲートウェイ装置Ｓ-ＧＷ←→無線基地局ｅＮＢ＃１←→移動局ＵＥ）から、無線基地局ＰｈＮＢ＃１０を介する経路（ゲートウェイ装置Ｓ-ＧＷ←→無線基地局ｅＮＢ＃１←→無線基地局ＰｈＮＢ＃１０←→移動局ＵＥ）に適切に切り替えることができる。
【００７１】
本実施形態の第１の特徴において、工程Ａにおいて、無線基地局ｅＮＢ＃１は、無線基地局ＰｈＮＢ＃１０に対して、移動局ＵＥと無線基地局ＰｈＮＢ＃１０との間のＵ-ｐｌａｎｅベアラの無線設定情報を通知してもよい。
【００７２】
かかる構成によれば、セル＃１０が追加される場合に、無線基地局ＰｈＮＢ＃１０が、移動局ＵＥと無線基地局ｅＮＢ＃１との間のＵ-ｐｌａｎｅベアラの無線設定情報を引き継ぐことができるため、上述の移動局ＵＥのＥＰＳベアラ＃Ａの経路を安全に切り替えつつ、かかる切り替えに要する時間を短縮することができる。
【００７３】
本実施形態の第１の特徴において、無線基地局ｅＮＢ＃１が、セル＃１０を削除する場合、移動局ＵＥに対して、ＥＰＳベアラの識別情報とセル＃１０の識別情報との関連付けを削除する情報を含む「ＲＲＣ  Ｃｏｎｎｅｃｔｉｏｎ  Ｒｅｃｏｎｆｉｇｕｒａｔｉｏｎ」を送信する工程Ｄと、ＥＰＳベアラを、移動局ＵＥと無線基地局ｅＮＢ＃１との間のＵ-ｐｌａｎｅベアラ及び無線基地局ｅＮＢ＃１とゲートウェイ装置Ｓ-ＧＷとの間のＳ１-Ｕベアラからなるように変更する工程Ｅとを有してもよい。
【００７４】
かかる構成によれば、セル＃１０が削除される場合に、移動局ＵＥのＥＰＳベアラ＃Ａの経路を、無線基地局ＰｈＮＢ＃１０を介する経路（ゲートウェイ装置Ｓ-ＧＷ←→無線基地局ｅＮＢ＃１←→無線基地局ＰｈＮＢ＃１０←→移動局ＵＥ）から、無線基地局ＰｈＮＢ＃１０を介さない経路（ゲートウェイ装置Ｓ-ＧＷ←→無線基地局ｅＮＢ＃１←→移動局ＵＥ）に適切に切り替えることができる。
【００７５】
本実施形態の第１の特徴において、工程Ｅにおいて、無線基地局ＰｈＮＢ＃１０は、無線基地局ｅＮＢ＃１に対して、移動局ＵＥと無線基地局ＰｈＮＢ＃１０との間のＵ-ｐｌａｎｅベアラの無線設定情報を通知してもよい。
【００７６】
かかる構成によれば、セル＃１０が削除される場合に、無線基地局ｅＮＢ＃１が、移動局ＵＥと無線基地局ＰｈＮＢ＃１０との間のＵ-ｐｌａｎｅベアラの無線設定情報を引き継ぐことができるため、上述の移動局ＵＥのＥＰＳベアラ＃Ａの経路を安全に切り替えつつ、かかる切り替えに要する時間を短縮することができる。
【００７７】
本実施形態の第２の特徴は、移動局ＵＥであって、無線基地局ｅＮＢ＃１配下のセル＃１において「ＲＲＣ_Ｃｏｎｎｅｃｔｅｄ状態」であり、移動局ＵＥと無線基地局ｅＮＢ＃１との間のＵ-ｐｌａｎｅベアラ及び無線基地局ｅＮＢ＃１とゲートウェイ装置Ｓ-ＧＷとの間のＳ１-ＵベアラからなるＥＰＳベアラを介して通信を行っている場合に、無線基地局ｅＮＢ＃１から、ＥＰＳベアラの識別情報とセル＃１０の識別情報とを関連付ける情報を含む「ＲＲＣ  Ｃｏｎｎｅｃｔｉｏｎ  Ｒｅｃｏｎｆｉｇｕｒａｔｉｏｎ」を受信すると、かかる「ＲＲＣ  Ｃｏｎｎｅｃｔｉｏｎ  Ｒｅｃｏｎｆｉｇｕｒａｔｉｏｎ」に応じて、無線基地局ＰｈＮＢ＃１０との間でＵ-ｐｌａｎｅベアラを設定し、ＥＰＳベアラを、移動局ＵＥと無線基地局ＰｈＮＢとの間のＵ-ｐｌａｎｅベアラ、無線基地局ＰｈＮＢ＃１０と無線基地局ｅＮＢ＃１との間のＳ１-Ｕベアラ及び無線基地局ｅＮＢ＃１とゲートウェイ装置Ｓ-ＧＷとの間のＳ１-Ｕベアラからなるように変更するように構成されていることを要旨とする。
【００７８】
なお、上述の移動局ＵＥや無線基地局ＰｈＮＢ＃１０/ＰｈＮＢ＃１０や移動管理ノードＭＭＥやゲートウェイ装置Ｓ-ＧＷ/Ｐ-ＧＷの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＰｈＮＢ＃１０/ＰｈＮＢ＃１０や移動管理ノードＭＭＥやゲートウェイ装置Ｓ-ＧＷ/Ｐ-ＧＷ内に設けられていてもよい。また、かかる記憶媒体及びプロセッサは、ディスクリートコンポーネントとして移動局ＵＥや無線基地局ＰｈＮＢ＃１０/ＰｈＮＢ＃１０や移動管理ノードＭＭＥやゲートウェイ装置Ｓ-ＧＷ/Ｐ-ＧＷ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
ｅＮＢ＃１、ＰｈＮＢ＃１０…無線基地局
１１…管理部
１２…送信部
１３…受信部
【図１】
2014039124.tif 000003
【図２】
2014039124.tif 000004
【図３】
2014039124.tif 000005
【図４】
2014039124.tif 000006
【図５】
2014039124.tif 000007
【図６】
2014039124.tif 000008
【図７】
2014039124.tif 000009
【図８】
2014039124.tif 000010
【図９】
2014039124.tif 000011
【図１０】
2014039124.tif 000012